(57)【特許請求の範囲】
【請求項１】
軸筒本体と、当該軸筒本体に収容した筆記体と、を備える筆記具であって、前記軸筒本体が、グリップを備えた前軸と、該前軸の後端部に連結される中間軸と、該中間軸の後端部に連結される後軸を具備してなり、前記中間軸の後端部の外面に設けた雄ねじ部と、後軸の前端部の内面に設けた雌ねじ部とが着脱自在に連結されて前記筆記体が交換可能であり、前記前軸と中間軸とが、前軸の後端部の内壁に設けた突部と、前記中間軸の前端部の外壁に設けた突部とが乗り越し係合することによって連結され、前記前軸の凹溝が、前記前軸の後方から前方に向かって周方向の幅が狭く、且つ前記中間軸の突起が、前記中間軸の後方から前方に向かって幅が狭く設け、前記前軸の突部の後方に設けた凹溝と、前記中間軸の突部の後方に設けた突起とが係合することを特徴とする筆記具。
【請求項２】
前記中間軸の後端が、前記筆記体の後端の位置よりも前方に位置することを特徴とする請求項１に記載の筆記具。
【発明の詳細な説明】
【技術分野】
【０００１】
本発明は、軸筒本体と、当該軸筒本体に収容した筆記体と、を備える筆記具に関する。
【背景技術】
【０００２】
筆記具において、特開平０９−３１５０７７号公報「筆記具」では、軸筒本体として、前軸と後軸を螺着してあり、この前軸と後軸とを取り外すことで、軸筒内に配設した筆記体を着脱自在とした筆記具が開示されている。また、こうした筆記体を交換可能とした筆記具については、本願出願人も特開２００７−２５３５４８号「筆記具の軸筒」にて、軸筒本体として口先部材と前軸を螺着し、前軸と後軸とを螺着して、軸筒内に配設した筆記体を着脱自在とした筆記具の軸筒を開示している。
【０００３】
ところで、筆記具としては、軸筒の把持部にグリップを装着すること、軸筒の外表面に加飾を施すこと、筆記体のインキ残量を外部から視認可能すること等、使用者が使いやすく、且つ興味を引くため、様々な要素が求められている。
【先行技術文献】
【特許文献】
【０００４】
【特許文献１】特開平０９−３１５０７７号公報
【特許文献２】特開２０１３−４９１９３号公報
【発明の開示】
【発明が解決しようとする課題】
【０００５】
しかし、加飾を施しやすい材質、透明性が高い材質、グリップに用いる材料との相性など、多面的な要素を考慮して筆記具の軸筒に用いる材質を選択する必要があるため、非常に困難であった。
【０００６】
こうした問題を鑑みて、筆記具の軸筒として、複数個の部材を連結することも考えられるが、筆記体を交換する際、例えば、螺着している前軸と後軸とを取り外したときに、筆記体の後端部が大きく外部に突出してしまうと、筆記体交換時に落下してしまう恐れがあった。また、特許文献２では、口先部材と前軸、前軸と後軸とが同時に外れてしまうことがあり、筆記体の交換作業性の面で課題があった。
【０００７】
本発明の目的は、軸筒本体内に収容した筆記体を交換しやすく、軸筒本体の組立性も良好な筆記具を提供するものである。
【課題を解決するための手段】
【０００８】
上記目的を達成するために、本発明は、第１に、軸筒本体と、当該軸筒本体に収容した筆記体と、を備える筆記具であって、前記軸筒本体は、前軸と、該前軸の後端部に連結される中間軸と、該中間軸の後端部に連結される後軸とを具備してなり、前記中間軸と前記後軸とが螺着により着脱自在に連結されて前記筆記体が交換可能であり、前記前軸と中間軸とが、前軸の後端部の内壁に設けた突部と、前記中間軸の前端部の外壁に設けた突部とが乗り越し係合することによって連結され、前記前軸の突部の後方に設けた凹溝と、前記中間軸の突部の後方に設けた突起とが係合することを特徴とする。
【０００９】
前記第１の構成によれば、前軸と、中間軸と、後軸とが少なくと３個に分割されるため、個々の目的沿った材料や形状としやすくすることができる。具体的には、前軸は、グリップを装着するため、グリップと常時、接触するため、グリップとの相性を考慮し、中間軸は、軸筒内部の視認性を高めるため、透明性を考慮し、後軸は、中間軸と後軸とが螺着するため、螺着性や出没機構を具備する場合には、出没機構の作動性を考慮することができる。また、前記中間軸と前記後軸とが螺着により着脱自在に連結されて前記筆記体が交換可能であるが、前記前軸と中間軸とが、前軸の後端部の内壁に設けた突部と、前記中間軸の前端部の外壁に設けた突部とが乗り越し係合することによって連結され、前記前軸の突部の後方に設けた凹溝と、前記中間軸の突部の後方に設けた突起とが係合することで、中間軸と後軸との螺着のときに、前軸が中間軸に対して回転することがないので、軸筒の前軸を掴んで筆記体の交換作業を行うことができる。
【００１０】
第２に、前記前軸の凹溝が、前記前軸の後方から前方に向かって周方向の幅が狭くなり、前記中間軸の突起が、前記中間軸の後方から前方に向かって幅が狭くなることを特徴とする。
【００１１】
前記第２の構成によれば、前記前軸の凹溝が、前記前軸の後方から前方に向かって周方向の幅が狭くなり、前記中間軸の突起が、前記中間軸の後方から前方に向かって幅が狭くなるため、前軸の後方から中間軸を挿入することで、前軸の凹溝へ中間軸の突起を挿通しやすく、挿通した後は、前軸の凹溝の幅狭の部分へ、中間軸の突起の幅狭との部分とが係合して、前軸と後軸の回転を防止し、さらに中間軸を前軸の前方に押し込みことで、前軸の突部と中間軸の突部とが乗り越して嵌合を終了する。そのため、安定して前軸と後軸とを連結することができる。
【００１２】
第３に、前記中間軸の後端が、前記筆記体が後端の位置よりも前方に位置することを特徴とする。
【００１３】
前記第３の構成によれば、前記中間軸の後端が、前記筆記体の後端の位置よりも前方に位置することで、中間軸と後軸の螺着を取り外したときに、中間軸の後端から筆記体の後端部が外方に露出するため、筆記体を掴みやすく、筆記体の交換が容易になる。尚、前記前軸の前端から、中間軸の後端までの長さは、筆記体の全長の５０％よりも長くすることが好ましく、より好ましくは、筆記体の全長の７０％よりも長くする。また、筆記体の後端を指で掴むことを鑑みると、筆記体の全長の９０％以下の長さとすることが好ましい。
【発明の効果】
【００１４】
本発明は、軸筒本体内に収容した筆記体を交換しやすく、軸筒本体の組立性も良好な筆記具を提供することができた。
【図面の簡単な説明】
【００１５】
【図１】実施形態１の筆記具を用いた縦断面図である。
【図２】図１における一部省略したＡ−Ａ拡大断面図である。
【図３】図１における前軸の一部省略した拡大断面図である。
【図４】図１における中間軸の一部省略した拡大外観図である。
【図５】前軸と中間軸の連結状態を示す説明図である。
【発明を実施するための最良の形態】
【００１６】
次に図面を参照しながら、本発明の筆記具の実施形態を説明するが、本発明は以下の実施形態に限定されるものではない。
【００１７】
図１〜図５に示すように、本実施の形態の筆記具１は、前軸２と、前軸２に乗り越し嵌合によって連結された透明の中間軸３と、中間軸３に螺着された不透明の後軸４とを有する軸筒本体と、前軸２の外面を周方向に取り囲む不透明のグリップ１２と、軸筒本体内に出没可能に収容された筆記体９と、を備えている。前軸２、中間軸３、後軸４は樹脂製であり、グリップ１２はゴム製である。図示された例において、筆記具１はボールペンである。
【００１８】
前軸２は、前端に筆記体９の筆記部（ボールペンチップ）１１が突出可能な開口部２Ａが形成されている。また、筆記体９は、前軸２内に配設したコイルスプリング８によって、軸筒本体の軸方向後方（図１における右方）に付勢されて配設してある。筆記体９の一部は、中間軸３を通して外部から視認可能である。
【００１９】
出没機構は、後軸４内に筆記体９の筆記部１１の出没切替のための回転カム７と当該回転カム７に係合するカム溝（図示せず）を有するカム機構が設けられている。筆記体９の筆記部１１が前軸２内に没入した状態（図１参照）でノック部材６が押圧操作（ノック操作）されると、回転カム７がカム溝に沿って摺動し、筆記体９の筆記部１１が前軸２の開口部２Ａから外方へ突出され、更に、カム機構の作用によって回転カム７が回転されることによって、軸筒本体の軸方向後方への筆記体９の相対移動が禁止され、押圧操作の終了後もこの突出状態が維持されるようになっている。また、この突出状態で再度ノック部材６が押圧操作（ノック操作）されると、カム機構の作用によって軸筒本体の軸方向後方への筆記体９の相対移動が許容され、コイルスプリング８の付勢力によって筆記体９及びノック部材６が軸方向後方に押し戻されて初期状態が復帰されるようになっている。
【００２０】
筆記体９について詳述すると、インキ収容筒１０の前端部に、φ０．５ｍｍのボールを回転自在に抱持したボールペンチップからなる筆記部１１を装着してある。また、インキ収容筒１０内には、図示はしていないが、ティー・エイ・インスツルメント株式会社製ＡＲ−Ｇ２（ステンレス製４０ｍｍ２）を用いた２０℃の環境下で、剪断速度５ｓｅｃ−１にて測定したインキ粘度が１５０００ｍＰａ・ｓである黒色の油性ボールペン用インキを直に収容してある。
【００２１】
前軸２の後端部の内壁には、内方に向かって円周状に突出する突部２Ｂを長手方向の異なる位置に２カ所設けてある。（２ＢＡ、２ＢＢ）また、中間軸３の前端部の外壁には、前軸２の突部２ＢＡ、２ＢＢに対応する、外方に向かって円周状に突出する突部３Ａを長手方向の異なる位置に２カ所（３ＡＡ、３ＡＢ）、設けてあり、前軸２と中間軸３は、前軸２の後端部の内壁に設けた突部２ＢＡ、２ＢＢと、中間軸３の前端部の外壁に設けた突部３ＡＡ、３ＡＢとが乗り越し係合することによって連結されている。
【００２２】
また、前軸２の突部２Ｂの後方には、円周方向の均等の８カ所に長手方向に延びる凹溝２Ｃを設けてある。さらに、中間軸３の突部３Ａの後方には、円周方向の均等の４カ所に長手方向に延びる突起３Ｂを設けてある。前軸２と中間軸３が乗り越し係合したとき、前軸２の凹溝２Ｃと後軸３の突起３Ｂとが係合する。また、中間軸３と後軸４は、中間軸３の後端部の外面に設けた雄ねじ部３Ｃと、後軸４の前端部の内面に設けた雌ねじ部４Ａとが着脱自在に螺着されている。また、後軸４の後部には、クリップ５を装着してある。
【００２３】
前軸２と中間軸３の連結方法は、先ず、前軸２の後方から中間軸３を挿入して、押し込むことで、前軸２の凹溝２Ｃの前端側の幅狭の方向へ、中間軸３の突起３Ｂの幅狭を誘導して、前軸２の凹溝２Ｃと後軸３の突起３Ｂとを係合させるとともに、前軸２の突部２Ｂと中間軸３の突部３Ａとが乗り越し嵌合され、連結を終了する。前軸２の凹溝２Ｃの数を後軸３の突起３Ｂよりも多くすることで、前軸２の凹溝２Ｃに後軸３の突起３Ｂを挿通しやすくすることができる。
【００２４】
前軸２と中間軸３について詳述すると、前軸２の凹溝２Ｃは、前軸２の後端２Ｄ方向から前方に向かって周方向の幅が狭くなっており、この凹溝２Ｃに対応する中間軸３の突起３Ｂも、中間軸３の後方から前方に向かって幅が狭く（Ｌ＞Ｍ）なっている。このことから、前軸２の後方から中間軸３を挿入することで、前軸２の凹溝２Ｃへ中間軸３の突起３Ｂを挿通しやすく、挿通した後は、前軸２の凹溝２Ｃの前端側の幅狭の方向へ、中間軸３の突起３Ｂの幅狭との部分が誘導され、前軸２の凹溝２Ｃと後軸３の突起３Ｂとが係合することで、前軸２に対する後軸３の回転、或いは後軸３に対する前軸２の回転を防止することができる。
【００２５】
また、中間軸３の突起３Ｂの形状は、前端面３ＢＡが縦断面で尖塔形としてあるため、前軸２の後方から中間軸３を挿入することで、前軸２の凹溝２Ｃへ中間軸３の突起３Ｂを挿通しやすく、組立性が良好となるので好ましい。
【００２６】
筆記体９を交換するには、例えば、前軸２と後軸４を掴み、中間軸３と後軸４とが螺着する反対側に回転を加えることで、前軸２と中間軸３とが回転を防止しているため、中間軸３と後軸４の螺着を取り外すことができ、その結果、中間軸３の後端から筆記体９を取り外して交換することができる。
【００２７】
尚、本実施形態では、前軸２の前端から、中間軸３の後端までの長さは、筆記体９の全長の訳９０％であり、中間軸３と後軸４とを取り外したときに、中間軸３の後端から露出する筆記体９の長さは、筆記体の全長の約１０％であった。
【００２８】
また、前記した軸筒本体には、ポリプロピレン、ポリカーボネート、アクリルニトリルスチレン、ポリエチレンテレフタレートなど、筆記具の軸筒として知られている樹脂材料を適宜選択して用いることができる。具体的には、中間軸３には、軸筒内の視認性を考慮することを鑑みて、ポリカーボネート、ＡＢＳ樹脂、前軸２にはグリップの装着性、前軸２と中間軸３とが乗り越し係合することを鑑みて、ポリプロピレン、アクリルニトリルスチレン、後軸４は、印刷やシール貼付などの加飾性や出没機構の摺動性を鑑みて、ポリカーボネート、アクリルニトリルスチレンとすることが好ましい。
【産業上の利用可能性】
【００２９】
本発明の筆記具は、インキの種類やペン先に限定されることなく、筆記具として広く実施可能である。
【符号の説明】
【００３０】
１  筆記具
２  前軸
２Ａ  開口部
２Ｂ  突部
２Ｃ  凹溝
３  中間軸
３Ａ  突部
３Ｂ  突起
３Ｃ  雄ねじ部
４  後軸
４Ａ  雌ねじ部
５  クリップ
６  ノック体
７  回転カム
８  コイルスプリング
９  筆記体
１０  インキ収容筒
１１  筆記部
１２  グリップ
【図１】
0006748462.tif 000002
【図２】
0006748462.tif 000003
【図３】
0006748462.tif 000004
【図４】
0006748462.tif 000005
【図５】
0006748462.tif 000006